(57)【要約】【課題】水平力に対して十分に抵抗できながらも、外観性の向上を図ることができる建物のフレーム構造を提供する。【解決手段】柱３と梁２とで囲まれた枠体Ｗの内側に斜材４を設けてあり、斜材４を構成するに、枠体Ｗの対角線方向に向かい合う一対の仕口部５に亘って設けられた主斜材４ａと、枠体Ｗの辺６の中間とそれとは別の辺６の中間とに亘って設けられた副斜材４ｂとを備えてあり、主斜材４ａと副斜材４ｂとを連結してある。【選択図】図１
2009180017.tif 000002
【特許請求の範囲】
【請求項１】
柱と梁とで囲まれた枠体の内側に斜材を設けてある建物のフレーム構造であって、
前記斜材を構成するに、前記枠体の対角線方向に向かい合う一対の仕口部に亘って設けられた主斜材と、前記枠体の辺の中間とそれとは別の辺の中間とに亘って設けられた副斜材とを備えてあり、前記主斜材と前記副斜材とを連結してある建物のフレーム構造。
【請求項２】
前記建物が多数の前記枠体からなり、それら多数の枠体のうちの少なくとも２以上の枠体の内側に夫々前記主斜材と前記副斜材とを設け、それら前記枠体の前記主斜材と前記副斜材とからなる配置パターンを複数種形成してある請求項１に記載の建物のフレーム構造。
【発明の詳細な説明】
【技術分野】
【０００１】
本発明は、柱と梁とで囲まれた枠体の内側に斜材を設けてある建物のフレーム構造に関する。
【背景技術】
【０００２】
従来、この種の建物のフレーム構造では、枠体の対角線方向に向かい合う一対の仕口部に亘って１つの斜材を斜線状に設けるものがあり、さらに水平力に抵抗すべく、枠体の対角線方向に向かい合う一対の仕口部の夫々に亘って２つの斜材をＸ字状に設けるものがある。又、枠体における上側の仕口部の夫々と枠体における下辺の中央とに亘って２つの斜材をＶ字状に設けたり、枠体における下側の仕口部の夫々と枠体における上辺の中央とに亘って２つの斜材を逆Ｖ字状に設けるものがある。ちなみに、斜材の座屈に抵抗すべく、枠体の外側に補剛部材を架設して、その補剛部材を斜材に連結するものもある。（尚、この様な従来技術に関しては、当業者の間で広く知られているものであるが、該当する構成が記載された特許文献などは見あたらないので、先行技術文献は示していない。）
【発明の開示】
【発明が解決しようとする課題】
【０００３】
従来の建物のフレーム構造においては、斜材を斜線状、Ｘ字状、Ｖ字状又は逆Ｖ字状に設けるものであり、画一的で変化に乏しい等、外観の悪化を招くものであった。特に、ファサードに設けられる場合において、そのような不都合が甚だしいものとなる。さらに、枠体の外側に補剛部材を架設して、その補剛部材を斜材に連結すると、斜材と補剛部材とが重複した状態で見えることになる等、外観がすっきりしないものとなっていた。
【０００４】
本発明は、上記実状に鑑みて為されたものであって、その目的は、水平力に対して十分に抵抗できながらも、外観性の向上を図ることができる建物のフレーム構造を提供する点にある。
【課題を解決するための手段】
【０００５】
本発明の建物のフレーム構造は、柱と梁とで囲まれた枠体の内側に斜材を設けてあるものであって、その第１特徴構成は、前記枠体の対角線方向に向かい合う一対の仕口部に亘って設けられた主斜材と、前記枠体の辺の中間とそれとは別の辺の中間とに亘って設けられた副斜材とを備えて前記斜材を構成し、前記主斜材と前記副斜材とを連結してある点にある。
【０００６】
すなわち、枠体の対角線方向に向かい合う一対の仕口部に亘って設けられた主斜材が水平力に抵抗することに加えて、前記枠体の辺の中間とそれとは別の辺の中間とに亘って設けられた副斜材も水平力に抵抗するので、水平力に対して十分に抵抗できながらも、副フレームの取り付け位置を変えることで、外観に変化を持たせることができる。
しかも、前記主斜材と前記副斜材とを連結してあるので、副斜材が水平力に抵抗することに加えて、主斜材の座屈をも補剛することができる。
したがって、水平力に対して十分に抵抗できながらも、外観性の向上を図ることができ、座屈を補剛することができる建物のフレーム構造を得るに至った。
【０００７】
本発明の第２特徴構成は、上記第１特徴構成に加えて、前記建物が多数の前記枠体からなり、それら多数の枠体のうちの少なくとも２以上の枠体の内側に夫々前記主斜材と前記副斜材とを設け、それら前記枠体の前記主斜材と前記副斜材とからなる配置パターンを複数種形成してある点を特徴とする。
【０００８】
すなわち、前記建物が多数の前記枠体からなり、それら多数の枠体のうちの少なくとも２以上の枠体の内側に夫々前記主斜材と前記副斜材とを設け、それら前記枠体の前記主斜材と前記副斜材とからなる配置パターンを複数種形成してあるので、複数の配置パターンを組み合わせて枠体からなる建物のフレーム構造を形成することが可能となり、複数の配置パターンの組み合わせによりデザイン性の向上を図り易いことに加えて、枠体の辺の中間とそれとは別の辺の中間とに亘って設けられた副斜材を応力が集中し難いように配置し易いものとなる。
【発明を実施するための最良の形態】
【０００９】
〔第１実施の形態〕
以下、本発明に係る建物のフレーム構造について説明する。建物は、その外面を透明なガラス張りに構成してあり、図１に示すように、上側の床スラブ１を支持するＳ造の梁２と、その梁２を支持するＳ造の一対の柱３と、梁２で支持されている下側の床スラブ１とで、側面視で略矩形状の多数の枠体Ｗを形成してあり、その各枠体Ｗのうちの少なくとも２以上の枠体Ｗの内周側空間に斜材としての金属パイプ製のブレース４を設けてある。そして、ブレース４を構成するに、枠体Ｗの対角線方向に向かい合う一対の仕口部５に亘って設けられた主斜材としての第１ブレース４ａと、枠体Ｗの辺６の中間とそれとは別の辺６の中間とに亘って設けられた副斜材としての第２ブレース４ｂとを備えてあり、第１ブレース４ａと第２ブレース４ｂとを連結してある。そして、それら枠体Ｗの第１ブレース４ａ及び第２ブレース４ｂからなる配置パターンを複数種形成してある。
【００１０】
説明を加えると、枠体Ｗ１に、左上の仕口部５と右下の仕口部５とに亘って設けられた第１ブレース４ａと、枠体Ｗ１の上辺における中央から左寄りの箇所と左辺における左下の仕口部５付近の箇所とに亘って設けられた第２ブレース４ｂとを連結する状態で設けてあり（枠体Ｗ１の第１ブレース４ａと第２ブレース４ｂとからなる配置パターンをパターンＡとする）、枠体Ｗ２に、右上の仕口部５と左下の仕口部５とに亘って設けられた第１ブレース４ａと、枠体Ｗ２の上辺における左上の仕口部５付近の箇所と下辺における中央付近の箇所とに亘って設けられた第２ブレース４ｂとを連結する状態で設けてあり（枠体Ｗ２の第１ブレース４ａと第２ブレース４ｂとからなる配置パターンをパターンＢとする）、枠体Ｗ４に、左上の仕口部５と右下の仕口部５とに亘って設けられた第１ブレース４ａと、枠体Ｗ４の右辺における右上の仕口部５付近の箇所と左辺における左下の仕口部５付近の箇所とに亘って設けられた第２ブレース４ｂとを連結する状態で設けてあり（枠体Ｗ４の第１ブレース４ａと第２ブレース４ｂとからなる配置パターンをパターンＣとする）、枠体Ｗ５、Ｗ１０に、左上の仕口部５と右下の仕口部５とに亘って設けられた第１ブレース４ａと、枠体Ｗ５、Ｗ１０の上辺における右上の仕口部５付近の箇所と下辺における中央から右寄りの箇所とに亘って設けられた第２ブレース４ｂとを連結する状態で設けてあり（枠体Ｗ５、Ｗ１０の第１ブレース４ａと第２ブレース４ｂとからなる配置パターンをパターンＤとする）、枠体Ｗ７、Ｗ１２に、左上の仕口部５と右下の仕口部５とに亘って設けられた第１ブレース４ａと、枠体Ｗ７、Ｗ１２の下辺における中央から左寄りの箇所と枠体Ｗ７、Ｗ１２の上辺における中央からさらに左寄りの箇所とに亘って設けられた第２ブレース４ｂとを連結する状態で設けてあり（枠体Ｗ７、Ｗ１２の第１ブレース４ａと第２ブレース４ｂとからなる配置パターンをパターンＥとする）、枠体Ｗ８に、右上の仕口部５と左下の仕口部５とに亘って設けられた第１ブレース４ａと、枠体Ｗ８の下辺における中央から左寄りの箇所と枠体Ｗ８の上辺における中央からさらに左寄りの箇所とに亘って設けられた第２ブレース４ｂとを連結する状態で設けてあり（枠体Ｗ８の第１ブレース４ａと第２ブレース４ｂとからなる配置パターンをパターンＦとする）、枠体Ｗ９、Ｗ１１に、左上の仕口部５と右下の仕口部５とに亘って設けられた第１ブレース４ａと、枠体Ｗ９、Ｗ１１の上辺における右上の仕口部５付近の箇所と下辺における中央から右寄りの箇所とに亘って設けられた第２ブレース４ｂとを連結する状態で設けてある（枠体Ｗ９、Ｗ１１の第１ブレース４ａと第２ブレース４ｂとからなる配置パターンをパターンＧとする）。尚、枠体Ｗ３、Ｗ６に、第１ブレース４ａ及び第２ブレース４ｂのいずれも設けていない。
【００１１】
これにより、枠体Ｗの対角線方向に向かい合う一対の仕口部５に亘って設けられた第１ブレース４ａが水平力に抵抗することに加えて、枠体Ｗの辺６の中間とそれとは別の辺６の中間とに亘って設けられた第２ブレース４ｂも水平力に抵抗するので、水平力に対して十分に抵抗できながらも、第２ブレース４ｂの取り付け位置を変えることで、外観に変化を持たせることができる。又、第１ブレース４ａと第２ブレース４ｂとを連結してあるので、第２ブレース４ｂが水平力に抵抗することに加えて、第１ブレース４ａの座屈をも補剛することができる。尚、枠体Ｗの辺６の中間とは、枠体Ｗの辺６のうち仕口部５を除いた部分のことである。
又、複数の配置パターン（パターンＡ〜Ｇ）を組み合わせて枠体Ｗからなる建物のフレーム構造を形成することが可能となり、複数の配置パターン（パターンＡ〜Ｇ）の組み合わせによりデザイン性の向上を図り易いことに加えて、枠体Ｗの辺６の中間とそれとは別の辺６の中間とに亘って設けられた第２ブレース４ｂを応力が集中し難いように配置し易いものとなる。
【００１２】
〔別実施の形態〕
（１）上記実施の形態では、枠体Ｗに、第２ブレース４ｂを１つ設ける構成を例示したが、第２ブレース４ｂを２以上の複数設ける構成としてもよい。
【００１３】
（２）上記実施の形態では、梁２及び柱３がＳ造である構成を例示したが、柱３がＳＲＣ造でもよく、梁２及び柱３がＲＣ造でもよい。
【００１４】
（３）上記実施の形態では、ブレース４が金属パイプ製である構成を例示したが、ブレース４がＨ型鋼でもよく、ブレース４をＲＣ造で構成してもよい。
【００１５】
（４）上記実施の形態では、枠体Ｗの一部に第１ブレース４ａ及び第２ブレース４ｂを設けない構成を例示したが、枠体Ｗの全てに第１ブレース４ａ及び第２ブレース４ｂを設ける構成としてもよい。
【図面の簡単な説明】
【００１６】
【図１】枠体に主斜材と副斜材とを設けた構成を示す図
【符号の説明】
【００１７】
２          梁
３          柱
４          斜材
４ａ        主斜材
４ｂ        副斜材
５          仕口部
６          辺
Ｗ          枠体
【図１】
2009180017.tif 000003